(57)【特許請求の範囲】
【請求項１】
一端にコネクタ部を有するケーブルを備えた電子機器において、
上記コネクタ部を収納可能なように凹部が形成されたコネクタ収納部と、
上記ケーブルを嵌め込んで収納可能なように凹部が上記ケーブルの導出部位から上記コネクタ収納部まで連続して形成された第１のケーブル収納溝部と、
上記第１のケーブル収納溝部の途中から上記電子機器の側面に開放するように連続して凹部が形成された第２のケーブル収納溝部と、
上記第１のケーブル収納溝部の途中に上記ケーブルの太さより大きい開口寸法を有し上記ケーブルの長さのばらつきを吸収可能なように形成された長さ吸収用凹部と、
を備えることを特徴とする電子機器。
【請求項２】
上記第２のケーブル収納溝部の途中に上記ケーブルの太さより大きい開口寸法を有し上記ケーブルの長さのばらつきを吸収可能なように形成された長さ吸収用凹部を備えることを特徴とする請求項１に記載の電子機器。
【請求項３】
上記コネクタ収納部は、上記ケーブルの導出部位に隣接し連続して形成されていることを特徴とする請求項１に記載の電子機器。
【請求項４】
一端にコネクタ部を有するケーブルを備えた電子機器において、
上記コネクタ部を収納可能なように凹部が形成されたコネクタ収納部と、
上記ケーブルを嵌め込んで収納可能なように凹部が上記ケーブルの導出部位から上記コネクタ収納部まで連続して形成された第１のケーブル収納溝部と、
上記第１のケーブル収納溝部の途中から上記電子機器の側面に開放するように連続して凹部が形成された第２のケーブル収納溝部と、
を備えることを特徴とする電子機器。
【発明の詳細な説明】
【０００１】
【発明の属する技術分野】
本発明は、接続用のケーブルを持つ電子機器に関する。
【０００２】
【従来の技術】
接続用のケーブルが導出される電子機器において、このケーブルを収納する場合、従来一般に広く用いられていた方法は、図１に示す如く電子機器１の一部に箱状の収納部２を設け、この収納部２に束ねたケーブル３を収納する方法である。
しかし、この方法は収納部として大きなスペースを必要とするため、小型の電子機器には向かなかった。
【０００３】
そこで、一部の小型電子機器では、図２に示す如く機器１の筐体の背面や底面等に、ケーブル３の太さと略等しい溝幅の収納溝４を設け、そこにケーブル３を嵌め込むようにして収納する方法が用いられている。
【０００４】
【発明が解決しようとする課題】
この場合、電子機器から導出されるケーブル３の長さと、電子機器側の収納溝４の長さとを一致させる必要があるが、ケーブル作製時の長さのばらつき（例えば４８５ｍｍのケーブルで、±１５ｍｍ程度）と組み立て時のばらつきを考えると、両者の長さを一致させることは難しい。
【０００５】
これを一致させるためには、ケーブル作製時の厳密な寸法管理を必要とするのでケーブルのコストアップにつながり、また機器の組み立て時には検査治具を必要とすると共に、この検査のための工数増加により、さらなるコストアップを招くことになる。
本発明は斯る点に鑑みてなされたもので、ケーブルの長さのばらつきを効果的に吸収できる構造を提供し、上記の問題点を解消することを目的とする。
【０００６】
【課題を解決するための手段】
上記の目的を達成するために本発明は、
一端にコネクタ部を有するケーブルを備えた電子機器において、
コネクタ部を収納可能なように凹部が形成されたコネクタ収納部と、
ケーブルを嵌め込んで収納可能なように凹部がケーブルの導出部位からコネクタ収納部まで連続して形成された第１のケーブル収納溝部と、
この第１のケーブル収納溝部の途中から電子機器の側面に開放するように連続して凹部が形成された第２のケーブル収納溝部と、
第１のケーブル収納溝部の途中にケーブルの太さより大きい開口寸法を有しケーブルの長さのばらつきを吸収可能なように形成された長さ吸収用凹部と、
を備えてなるものである。
【０００７】
【作用】
上記の如く構成される本発明の電子機器においては、ケーブルを収納溝部に収納する際にケーブルを長さ吸収用凹部において屈曲して弛ませた状態で収納することにより、ケーブルの長さのばらつきを効果的に吸収することができる。
【０００８】
【実施例】
以下、図３〜図７を参照しながら本発明の実施例について詳細に説明する。
【０００９】
図３は情報処理装置のシステムの全体を示し、即ちこの図３において１０は情報処理装置の本体、１１はこの情報処理装置１０にデータを入力するためのキーボードである。
このキーボード１１からは接続用のケーブル１２が導出され、さらにこのケーブル１２の先端部にはコネクタ１３が取り付けられている。
【００１０】
そしてこのコネクタ１３を、情報処理装置１０の側面に設けられた入力端子部１４に結合することにより、キーボード１１と情報処理装置１０との間が電気的に接続され、即ちキーボード１１の上面のキー１１ａを操作することによって情報処理装置１０にデータが入力されるようになっている。
【００１１】
このキーボード１１は、データを入力しないときや、携帯するときには、ケーブル１２（コネクタ１３を含む）を筐体の底面側に収納できる構造となっている。
【００１２】
図４はこのキーボード１１を底面側から見た図である。
尚、１５ａ及び１５ｂは脚で、キーボード１１を使用するときには必要に応じてこの脚を起立させることによりキーボード１１を傾斜状に置いた状態で使用するものである。
【００１３】
そしてこの図４において明らかなように、キーボード１１の筐体の底面には、ケーブル１２を収納するための凹部である収納溝（第１のケーブル収納溝部）１６と、コネクタ１３を収納するための収納凹部（コネクタ収納部）１７とが連続して形成されている。
尚、本例のキーボード１１では、ケーブル１２はコネクタ用の収納凹部１７の部分から導出されている。
【００１４】
ケーブル用の収納溝１６は、コネクタ用の収納凹部１７を介して連続した枠形状に形成されており、かつその長さは、キーボード１１から導出されるケーブル１２の長さと略等しく形成されている。
またこの収納溝１６は、ケーブル１２をきっちりと嵌め込んで収納できるように、ケーブル１２の太さ（外径）と略等しい溝幅及び深さに形成されている。
【００１５】
さらにキーボード１１の筐体の底面には、収納溝１６に連続して二本のガイド溝（第２のケーブル収納溝部）１８及び１９が形成されている。
【００１６】
これらのガイド溝１８，１９もまた収納溝１６と同様にケーブル１２の太さと略等しい溝幅及び深さを有し、一方のガイド溝１８はキーボード１１の背側面に開放され、もう一方のガイド溝１９はキーボード１１の横側面に開放されている。
【００１７】
そしてキーボード１１を使用するときの使い勝手に応じて、ケーブル１２を収納溝１６から第１のガイド溝１８に嵌め込んでキーボード１１の背面側に引き出す状態（図５Ａ）と、ケーブル１２を収納溝１６から第２のガイド溝１９に嵌め込んでキーボード１１の側面に引き出す状態（図５Ｂ）とを選択できる構造となっている。
【００１８】
図６はケーブル１２を収納した状態を示している。
このケーブル収納状態では、ケーブル１２が収納溝１６にぴったりの長さで収まるのが理想的であるが、実際にはケーブル１２の長さのばらつきにより、簡単には行かない。
【００１９】
そこでこの対策としてキーボード１１の筐体の底面においては、収納溝１６の一部に、ケーブル１２の長さのばらつきを吸収するための長さ吸収用凹部２０が収納溝１６と連続して同じ深さで形成されている。
【００２０】
この長さ吸収用凹部２０は、収納溝１６の溝幅即ちケーブル１２の太さよりも大きい開口寸法を有し、特に本例では人の指が充分に入る程度の大きさの円形状に形成されており、これが収納溝１６のコーナー部分に３箇所設けられている。
【００２１】
この長さ吸収用凹部２０におけるケーブル１２の長さのばらつきの吸収状態を図７に示す。
即ち、先ずケーブル１２の長さが比較的短い場合は、図７Ａに示す如くケーブル１２は収納溝１６に沿ってぴったりと収納される。
これより若干長いケーブルの場合は、同図Ｂのようにケーブル１２を長さ吸収用凹部２０においてＵ字状に屈曲して弛ませた状態で収納溝１６に嵌め込んで収納する。
さらにこれよりも長いケーブルの場合には、同図Ｃの如くケーブル１２を長さ吸収用凹部２０の全体を使って大きく弛ませた状態で収納溝１６に嵌め込んで収納する。
【００２２】
このようにケーブル１２の長さのばらつきに応じて長さ吸収用凹部２０を利用してケーブル１２を弛ませた状態で収納することにより、ケーブル１２の長さのばらつきを効果的に吸収することができ、その結果ケーブル１２を確実に収納溝１６に収納することができる。
【００２３】
またケーブル１２を収納溝１６から取り外すときには、長さ吸収用凹部２０に指先を差し込んでケーブル１２をつまみ出すことにより、簡単に取り外すことができる。
【００２４】
以上が本発明の最も好適な実施例である。
本例のキーボード１１は、筐体の一部にケーブル１２を収納することにより、携帯性の向上、ケーブルの損傷防止など、多くの利益が生じる。さらにこのキーボード１１は、筐体の底面側に平面的にケーブル１２を収納する構造としたことにより、ケーブルの収納スペースに深さを要しないため、小型薄型化に一層有利である。
【００２５】
そしてこのキーボード１１におけるケーブル１２の収納構造は、収納溝１６の一部に長さ吸収用凹部２０を設けたことにより、ケーブル１２の長さを効果的に吸収できるので、ケーブル１２の作製時には厳密な寸法管理を必要とせず、従ってケーブルには従来と同じものを用いることができ、追加部品も一切不要であるため、部品コストが増加することはない。また機器の組み立て時においても特別な配慮を必要としないので、製造コストが増加することもない。
【００２６】
また、本例では長さ吸収用凹部２０を収納溝１６のコーナー部分に設けたことにより、この長さ吸収用凹部２０においてケーブル１２の長さのばらつきを吸収する際にケーブル１２を弛ませ易く、扱いが容易であり、しかもこの長さ吸収用凹部２０は３箇所に設けてあるのでケーブル１２の長さのばらつきが大きくても充分に対応することができる。
【００２７】
さらにこの長さ吸収用凹部２０は、ケーブル１２を収納溝１６から取り外す際に指を差し込んでつまみ出す目的も兼ねており、このような目的の凹部は一般にも見られることを考慮すると、長さ吸収用凹部２０を設けたことで特に余分なスペースを取るということもなく、さらにデザイン的にもすっきり仕上げられる点もこの構造の利点の一つである。
【００２８】
以上、本発明の実施例について説明したが、本発明はこの実施例の構成に限定されるものではない。
特に長さ吸収用凹部２０の形状や形成箇所は、実施例に限ることなく種々の変化変更が可能である。
また本発明は例示したキーボードに限ることなく、ケーブルを有する各種の電子機器に広く適用可能であることは言うまでもない。
【００２９】
【発明の効果】
以上の説明で明らかな如く本発明の電子機器は、ケーブルが収納される第１のケーブル収納溝部の途中に長さ吸収用の凹部を設け、この凹部においてケーブルを弛ませた状態で収納することにより、ケーブルの長さのばらつきを吸収するようにしたものである。
【００３０】
そしてこの発明によれば、機器の小型薄型化を阻害することもコストを増加させることもなくケーブルの長さのばらつきを効果的に吸収し、ケーブルを確実に収納溝部に収納することができる。
【００３１】
また本発明では、電子機器の使用時にはその使用状況に応じてケーブルを第２のケーブル収納溝部に嵌め込んで引き出すことができるので、使い勝手がよい。
【図面の簡単な説明】
【図１】従来例の説明図である。
【図２】他の従来例の説明図である。
【図３】情報処理装置のシステムの説明図である。
【図４】本発明の実施例を示す図で、電子機器（キーボード）を底面側から見た斜視図である。
【図５】同、ケーブルの引き出し状態の説明図である。
【図６】同、ケーブルを収納した状態である。
【図７】同、ケーブルの長さのばらつきを吸収する状態の説明図である。
【符号の説明】
１１  キーボード（電子機器）
１２  ケーブル
１３  コネクタ
１６  収納溝（第１のケーブル収納溝部）
１７  コネクタ用の収納凹部（コネクタ収納部）
１８，１９  ガイド溝（第２のケーブル収納溝部）
２０  長さ吸収用凹部
【図１】
0003668987.tif 000002
【図２】
0003668987.tif 000003
【図３】
0003668987.tif 000004
【図４】
0003668987.tif 000005
【図５】
0003668987.tif 000006
【図６】
0003668987.tif 000007
【図７】
0003668987.tif 000008